(57)【要約】【課題】簡単な構成であって、加熱効果に優れたヘアードライヤ、また、簡単な構成で加熱される磁性金属体の温度分布が全体にわたり略均一になり、加熱に要する時間が短くてすむヘアードライヤ、また、安全性に優れたヘアードライヤを提供する。【解決手段】熱源、ファン及びファンを駆動するモータを内蔵したヘアードライヤ本体１１の熱源１８を電磁誘導加熱手段により構成する。熱源１８は、絶縁内筒１７ｃに巻かれたコイル１７ｂと、絶縁内筒１７ｃに挿入されコイル１７ｂと非接触状態に設けた磁性金属材料の筒１７ｄとで形成されている。コイル１７ｂは高周波交番磁界の発生源に接続され、高周波電流が流される。【選択図】図１
2007190319.tif 000002
【特許請求の範囲】
【請求項１】
熱源、ファン及び該ファンを駆動するモータを内蔵したヘアードライヤであって、前記熱源と前記熱源の外側から順に設けられた外壁と絶縁内筒とにより加熱室を構成し、前記加熱室内における前記熱源は電磁誘導加熱手段により構成されていることを特徴とするヘアードライヤ。
【請求項２】
前記熱源は、前記絶縁内筒に巻かれたコイルと、前記絶縁内筒に挿入され前記コイルと非接触状態に設けた磁性金属材料の筒とで形成されていることを特徴とする請求項１に記載のヘアードライヤ。
【請求項３】
前記コイルは高周波交番磁界の発生源に接続され、高周波電流が流されることを特徴とする請求項２に記載のヘアードライヤ。
【請求項４】
前記コイルは高周波電力を供給するインバータ回路と前記インバータ回路を制御する制御回路とに接続され、前記インバータ回路は、前記コイルに並列接続された共振用コンデンサと、直列接続されたスイッチング素子と、前記スイッチング素子に逆方向に並列接続されたダイオードとで形成されていることを特徴とする請求項２に記載のヘアードライヤ。
【請求項５】
前記磁性金属材料の筒は中空円筒形に形成され、その内部は、複数の孔を有する磁性金属材料の放熱板が複数枚設けられて横断的に区切られていることを特徴とする請求項２乃至４のいずれかに記載のヘアードライヤ。
【請求項６】
前記磁性金属材料の筒は中空円筒形に形成され、その内部には、籠状に形成された磁性金属材料の放熱器が設けられていることを特徴とする請求項２乃至４のいずれかに記載のヘアードライヤ。
【請求項７】
前記磁性金属材料は、鉄又はニッケルクロムによりなることを特徴とする請求項２乃至６のいずれかに記載のヘアードライヤ。
【発明の詳細な説明】
【技術分野】
【０００１】
この発明は、ヘアードライヤに係り、詳しくは、その熱源の加熱手段として磁気誘導加熱手段を採用し、熱風発生室に磁気誘導加熱ヒータを備えてヘアードライヤの空気を加熱する安全性に優れたヘアードライヤに関する。
【背景技術】
【０００２】
従来、ヘアードライヤ、ヘアーブロッサあるいはハンドドライヤなどのヘアードライヤ類（以下、単に「へアードライヤ」という）の熱源としては、ニクロム線を電熱線として雲母板にまきつけたものや正特性サーミスタのような発熱体による加熱手段が使用されている。
【０００３】
しかしながら、ニクロム線を巻回したヘアードライヤでは、ニクロム線が局所的に高温になってしまうことがあり、これを防ぐために送風装置を大型にしたり、巻き方を変えたりしていた。この種のヘアードライヤは、吸い込み口から吸い込んだ空気を吐出口に向けて送り出す送風装置と吐出口との間にヒータ部を配することで吐き出す風を温風にする。例えば特許文献１に示されたヘアードライヤは、図９のように、側面側に吸い込み口が開口する本体１０１の後部のファン収容室１１０内に多翼遠心型のファン１３０とモータ１３１とからなる送風装置を収めている。先端面が吐き出し口１１１となっている筒状本体１０１の前部内にはヒータ部１０２が収められ、本体１０１の下部には、ハンドル部１１２が設けられ、スイッチ類が収められている。
【０００４】
このヒータ部１０２は、平行並列に配置された複数の平板のヒータ基板１２０と、各ヒータ基板１２０に巻回されたニクロム線（図示せず）と、連結ピン１２２によって機械的及び電気的に連結されたヒータ基板１２０を囲むテーパ状の囲い枠とからなる。各ヒータ基板１２０は、送風装置１０３による送風方向に沿うように設置されている。ヒータ基板１２０へのニクロム線の巻回は、送風装置１０３側において密に、吐き出し口１１１側において粗となるように巻回することにより、送風装置１０３側での発熱量が吐き出し口１１１側よりも大きくなるようにしている。
【特許文献１】特開平６−１８１８１０号公報（段落［０００７］〜［０００９］、図２）
【発明の開示】
【発明が解決しようとする課題】
【０００５】
この特許文献１のヘアードライヤの熱源は、その放熱板として耐火性と絶縁性の点から通常マイカが使われ、マイカ放熱板にニクロム線を巻きつけてあるが、熱源がニクロム線であるため短時間での均一な発熱が困難で、加熱が十分でないことがある。したがって、一定温度に達するには時間がかかり、温風の発生までには時間がかかり即時に温風を出すことはできなかった。したがって、効率よく均一に大量の熱が発生できるヘアードライヤが求められていた。また、このようなヘアードライヤは、使用中に熱源を収容したヒータ部に、ヘアーピンなどが誤って入り込むと、ニクロム線がむきだしであるため接触してショートし、ニクロム線が断線に到るなどの問題が起きることがあった。そこで、発熱効率がよく、安全な、品質のよいヘアードライヤが望まれている。
【０００６】
本願の発明者は、上記の問題点を解決すべく種々検討を行った結果、ヘアードライヤの熱源に着目し、加熱手段として電磁誘導加熱手段を採用したところ、ヘアーピンなどが落ち込んでも安全であり、また加熱される磁性金属体の温度分布が全体にわたり略均一になり、加熱に要する時間が短くてすむヘアードライヤが提供できることを見出し、本発明を完成するに至ったものである。
【０００７】
すなわち、本発明は、簡単な構成であって、加熱される磁性金属体の温度分布が全体にわたり略均一になり、かつ加熱に要する時間が比較的短くてすみ発熱効率のよい加熱手段を備えたヘアードライヤを提供することを目的とするものである。
【０００８】
また、本発明は、安全性に優れたヘアードライヤを提供することを目的とするものである。
【課題を解決するための手段】
【０００９】
請求項１の発明に係るヘアードライヤは、熱源、ファン及び該ファンを駆動するモータを内蔵したヘアードライヤであって、前記熱源と前記熱源の外側から順に設けられた外壁と絶縁内筒とにより加熱室を構成し、前記加熱室内における前記熱源は電磁誘導加熱手段により構成されていることを特徴とする。
【００１０】
請求項２の発明に係るヘアードライヤは、請求項１に記載のヘアードライヤにおいて、前記熱源は、前記絶縁内筒に巻かれたコイルと、前記絶縁内筒に挿入され前記コイルと非接触状態に設けた磁性金属材料の筒とで形成されていることを特徴とする。
【００１１】
請求項３の発明に係るヘアードライヤは、請求項２に記載のヘアードライヤにおいて、前記コイルは高周波交番磁界の発生源に接続され、高周波電流が流されることを特徴とする。
【００１２】
請求項４の発明に係るヘアードライヤは、請求項２に記載のヘアードライヤにおいて、前記コイルは高周波電力を供給するインバータ回路と前記インバータ回路を制御する制御回路とに接続され、前記インバータ回路は、前記コイルに並列接続された共振用コンデンサと、直列接続されたスイッチング素子と、前記スイッチング素子に逆方向に並列接続されたダイオードとで形成されていることを特徴とする。
【００１３】
請求項５の発明に係るヘアードライヤは、請求項２乃至４のいずれかに記載のヘアードライヤにおいて、前記磁性金属材料の筒は中空円筒形に形成され、その内部は、複数の孔を有する磁性金属材料の放熱板が複数枚設けられて横断的に区切られていることを特徴とする。
【００１４】
請求項６の発明に係るヘアードライヤは、請求項２乃至４のいずれかに記載のヘアードライヤにおいて、前記磁性金属材料の筒は中空円筒形に形成され、その内部には、籠状に形成された磁性金属材料の放熱器が設けられていることを特徴とする。
【００１５】
請求項７の発明に係るヘアードライヤは、請求項２乃至６のいずれかに記載のヘアードライヤにおいて、前記磁性金属材料は、鉄又はニッケルクロムによりなることを特徴とする。
【発明の効果】
【００１６】
請求項１の発明によれば、ヘアードライヤ本体の熱源を電磁誘導加熱手段により構成したことにより、熱源の構造が簡単になる。また、加熱される磁性金属体の温度分布が全体にわたって均一になり、効率よく均一に大量の熱を発生するヘアードライヤを提供することができる。また、ヘアーピンなどが落ち込んでもショートのおそれがなく安全な、ヘアードライヤを提供することができる。
【００１７】
請求項２の発明によれば、請求項１の発明の効果に加えて、熱源が、絶縁内筒に巻かれたコイルと、絶縁内筒に挿入されコイルと非接触状態に設けた磁性金属材料の筒とで形成されているので、熱源の構造が簡単になり、経済的に安価なヘアードライヤを提供できる。
【００１８】
請求項３の発明によれば、請求項２に記載の発明の効果に加えて、コイルは高周波交番磁界の発生源に接続され、高周波電流が流されるのであるから、熱源の構造が簡単になり、経済的に安価なヘアードライヤを提供できる。
【００１９】
請求項４の発明によれば、請求項２に記載の発明の効果に加えて、ヘアードライヤは、コイルが高周波電力を供給するインバータ回路とインバータ回路を制御する制御回路とに接続され、インバータ回路は、コイルに並列接続された共振用コンデンサと、直列接続されたスイッチング素子と、スイッチング素子に逆方向に並列接続されたダイオードとで形成されているので、極めて簡単な回路で加熱手段を実現することができる。
【００２０】
請求項５の発明によれば、請求項２乃至４に記載の発明の効果に加えて、磁性金属材料の筒は中空円筒形に形成され、その内部は、複数の孔を有する磁性金属材料の放熱板が複数枚設けられて横断的に区切られているので、速やかに効果的な加熱が行われる。
【００２１】
請求項６の発明によれば、請求項２乃至４に記載の発明の効果に加えて、磁性金属材料の筒は中空円筒形に形成され、その内部には、籠状に形成された磁性金属材料の放熱器が設けられているので、温風の流通が良好になると同時に、速やかに効果的な加熱が行われる。
【００２２】
請求項７の発明によれば、請求項２乃至６に記載の発明の効果に加えて、磁性金属材料は、鉄又はニッケルクロムによりなるので、効率よくジュール熱を発生することができる。
【発明を実施するための最良の形態】
【００２３】
以下、図面を参照して、本発明の最良の実施形態を説明する。但し、以下に示す実施形態は、本発明の技術思想を具体化するためのヘアードライヤを例示するものであって、本発明をこのヘアードライヤに特定することを意図するものではなく、特許請求の範囲に含まれるその他の実施形態のものにも等しく適用し得るものである。
【実施例１】
【００２４】
図１は本発明に係るヘアードライヤの一実施例の一部断面図である。図２は図１のヘアードライヤの本体内に設けられる熱源の断面図である。図３は熱源の断面図である。図４は本発明の他の実施例に係る熱源の断面図である。図５は図４の磁性金属材料の筒の斜視図である。図６は本発明の他の実施例に係るヘアードライヤの一部断面図である。図７は本発明の他の実施例に係るヘアードライヤの本体内に設けられる磁性金属材料の筒の透視図である。図８は本発明の他の実施例に係るヘアードライヤの回路図である。
【００２５】
本発明におけるヘアードライヤ本体は、熱源、ファン及びファンを駆動するモータを内蔵して構成され、加熱手段として電磁誘導加熱手段を採用したものである。ヘアードライヤ１は、筒型をした本体１１と本体の下面の後端部近くに取り付けられたハンドル１２を備えている。ハンドル１２は、ケース１３の下面から突出した保持部１１ａを支点にして軸支され、折りたたみ可能に本体１１に取り付けられている。ハンドル１２には電源スイッチ１４が設けてある。
【００２６】
このヘアードライヤ１のケース１３は、前部１３ａと後部１３ｂと後部カバー１５とアタッチメント１６とから構成されている。ケース１３の前部１３ａと後部１３ｂ及びアタッチメント１６は、ポリカーボネートや耐熱性ＡＢＳ樹脂等の耐熱性プラスチックの成型品により構成される。図１に示すようにケース１３の前部１３ａは縦断面の輪郭が前方に向けやや先細りになった円筒形である。またケース１３の前部１３ａの前端開口部は風の吹き出し口となっており、そこにノズルとして整風用アタッチメント１６が着脱自在に取り付けられている。後部１３ｂは、短い円筒状で前部１３ａに突き合わせて接合されている。本体１１の後端、すなわちケース１３の後部１３ｂの後端には後部カバー１５が設けられ、外気を導入するための複数の孔からなる吸気口を設けたものであり、例えば多数の蜂の巣状の孔を備えた金属板が円形ドーム形状をなして取り付けられている。
【００２７】
この本体１１のケース１３の内部には、空気を加熱して熱風を発生する加熱室１７が設けられており、加熱室１７は熱源１８と熱源１８の外側から順に設けられた外壁１７aと絶縁内筒１７ｃとから構成される。この空気の加熱は、電磁誘導加熱手段を採用した熱源１８からの発熱を利用して行われる。
【００２８】
その熱源１８は、絶縁内筒１７ｃに巻かれたコイル１７ｂと、絶縁内筒１７ｃの内側に挿入されコイル１７ｂと非接触状態に設けた磁性金属材料の筒１７ｄとで形成されている。絶縁内筒１７ｃに巻かれたコイル１７ｂは高周波交番磁界の発生源に接続され、高周波電流が流される。この実施例において、筒１７ｄは、多数の孔を有し筒１７ｄと同様に磁性金属材料からなる複数の放熱板１７ｅによりその内部を横断的に区切られている。ここで磁性金属材料は、好ましくは鉄又はニッケルクロムからなるが、これらに限られるものではない。
【００２９】
さらに熱源１８の後方には風を送るためのファンモータ１９を収納するが、ファンモータ１９は、前端部が加熱室１７の内部に配置される絶縁筒２３の内部に嵌め合わされている。ファンモータ１９の後方には送風室２０が設けられ、送風室２０にはファンモータ１９に連結されたファン２０ａが備えられており、ファン２０ａは送風室２０のファン保持筒２２に嵌め合されている。送風室２０はファン２０ａにより、後部カバー１５の吸気口から取り込んだ空気を加熱室１７に送りこむ。外部へ熱風を吹き出す加熱室１７の先端部には、吹き出し口グリル２１が取り付けられている。
【００３０】
図２に示すように、加熱室１７には、複数枚の磁性金属材料からなる放熱板１７ｅが、磁性金属材料からなる筒１７ｄの内部に等間隔で、筒の軸方向に沿って配置して固定され、絶縁内筒１７ｃの周囲にはコイル１７ｂが巻かれている。コイル１７ｂは一層のトロイダル状に巻かれ、耐熱性プラスチックなどで固められて絶縁内筒１７ｃを形成する。コイル１７ｂには高周波交番磁界の発生源が接続され、高周波電流が流される。磁性金属材料の筒１７ｄは、鉄、ニッケルクロム等の材質よりなるのが好ましい。ファンモータ１９に連結された送風室２０内のファン２０ａの風は、中空円筒形の加熱室１７の中を複数の放熱板１７ｅの間を経由して前方のアタッチメント１６に向かって送られる。図中の矢印は風の流れを示す。
【００３１】
図３は、図２の熱源１８を送風側から見た断面図である。放熱板１７ｅには風を通過させる多数の通孔１７ｆが形成されている。コイル層の外側には間隔を置いてヨーク１７ｇが設けられている。この図において、ヨークは８本である。
【００３２】
高周波磁界中に金属のような導体を置くときに発生する渦電流のジュール熱によって金属自体が直接発熱することは誘導加熱として周知である。この場合、高周波の電磁誘導によって導体中に誘導される渦電流は、表皮効果により表面において最も大きくなるので短時間に表面だけを均一に加熱することができる。したがって、加熱室１７においては、コイル１７ｂを巻きつけた絶縁内筒１７ｃを中空円筒形として内部を風が吹き抜けるようにすると、表皮効果によって発熱したコイル１７ｂと磁性金属材料からなる筒１７ｄと筒１７ｄと一体化した放熱板１７ｅとが風を加熱し、温風を発生することができる。
【実施例２】
【００３３】
図４及び図５において、熱源１８の別の実施例を示す。図４は縦断面図であり切断面を示す。図５は後方から見た磁性金属材料の筒１７ｄの斜視図である。図２の実施例と対応する部分には同じ記号を付してある。多数の通孔１７ｆを有する放熱板１７ｅは中心部が前方に向けて突出する円錐形をなし、６枚の放熱板の外周部分が筒１７ｄの内面に取り付けられている。このような円錐形状であると、放熱板１７ｅの面積が大きくなり加熱効率がよくなる。また、ファン２０から送風される空気は、放熱板１７ｅの吹き出しグリル２１側に収束するような円錐形状に沿って集風され所謂整風アダプターとしての効果を奏する。
【実施例３】
【００３４】
図６はさらに別の実施例に係る熱源１８を設けたヘアードライヤである。本実施例では複数の放熱板の代わりに磁性金属材料を網目状に形成した放熱手段を備えている。本実施例に係る熱源１８は、コイル１７ｂと、コイル１７ｂを固定した絶縁内筒１７ｃの内側に配置した磁性金属材料からなる筒１７ｄと、その中空円筒状の筒１７ｄ内に設けた網の目状に組んだ放熱器２４とから構成される。放熱器２４は、横網２４ａと縦網２４ｂとの組み合わせによりなる。この形状により磁性金属材料部分の面積がさらに大きくなり加熱効率がさらによくなる。
【実施例４】
【００３５】
図７は放熱器２４の他の実施例である。透視図に示すように、加熱室１７には複数枚の放熱板の代わりに磁性金属材料からなる円錐形の籠状をなす放熱器２４が、磁性金属材料からなる筒１７ｄの内部に、筒の軸方向に沿って配置して固定される。筒１７ｄの周囲には、コイル１７ｂが巻かれた絶縁性内筒１７ｃが配置されているが図示を省略する。磁性金属材料の筒１７ｄは、材質がジュール熱を多く発生する鉄、ニッケルクロム等より構成されるのが好ましいがこれらの金属に限られるものではない。放熱器２４はパンチングなどで形成される。モータ１９に連結された送風室２０内のファン２０ａにより発生した風は、中空円筒形の加熱室１７の中をこの放熱器２４を経由して前方のアタッチメント１６に向かって送られる。放熱器２４の中央部に集中する磁束により空気を効果的に加熱できるように、放熱器２４の一端２４ｃは空気吐き出し口の中央部に金属板を集約したような形状に形成されている。この放熱器２４は、空隙の多い籠状に形成されているので、空気の流れも円滑である。
【００３６】
以上の実施例において、コイルの巻かれた内筒に配設される円筒状の金属体は電磁誘導加熱手段により発熱する。すなわち、コイルに高周波電流を流して交番磁界を発生させると、交番磁界によって金属体に渦電流が生じるとともに、渦電流と金属体の固有抵抗により発生したジュール熱によって金属体が発熱し、加熱室に存在する空気を加熱させることになる。金属体にはその内部を仕切るように取り付けた放熱板あるいは籠状の放熱器などの放熱手段が設けられており、空気はこれらの放熱手段を通過しながら温度分布が全体にわたりほぼ均一になるように加熱される。円筒状の金属体を用いると、磁界の強度は金属体の中央部が両端部よりも強いため渦電流は中央部で多く流れることとなり、それによるジュール熱も中央部に集中し温度分布は中央部が高くなる。しかし、放熱板等に通孔を設けることによって金属体の全体が略同温度となり表面温度を均一に上昇させることができる。また電磁誘導加熱によると加熱に要する時間が短時間ですむ。
【実施例５】
【００３７】
次に、ヘアードライヤの回路について説明する。図８には、電磁誘導加熱方式のヘアードライヤの回路の一実施例を示す。ヘアードライヤの回路は、内筒に巻かれたコイル５４と、内筒に挿入されコイル５４とは非接触に固定された磁性体金属材料の筒と、コイル５４に高周波電力を供給するインバータ回路６０と、インバータ回路６０の動作を制御する制御回路５６とに接続される。符号５１は交流電源であり整流器５２が接続されている。整流器５２の出力側にはインバータ回路６０が接続されている。インバータ回路６０は、平滑コンデンサ６１と、加熱コイル５４に並列接続された共振用コンデンサ６２及び直列接続されたスイッチング素子６３と、スイッチング素子６３に逆方向に並列接続されたダイオード６４とから構成される。加熱コイル５４の内部には磁性体金属材料の筒が設けられている。インバータ回路６０は加熱コイル５４に周波数２０ＫＨｚ乃至５０ＫＨｚの高周波電流を供給することにより加熱コイル５４から発生させた高周波交番磁界を磁性体金属材料の筒に供給し、筒に生じる渦電流損によって筒を発熱させ、それによって加熱室内の空気を暖め、温風として吐き出しノズルから排出する。符号５７は直流モータ駆動用の整流回路であり、符号５８は送風ファン駆動用のモータである。
【００３８】
このようなヘアードライヤによれば、ヘアードライヤ本体の熱風発生室の熱源として電磁誘導加熱手段を用いており、熱源がコイルと中空円筒状の磁性体金属材料の筒とで形成され構成が簡単である。整髪中にピンなどが熱風発生室に落ち込んでもニクロム線が熱源である場合と異なりショートを起こすことが無く安全である。誘導加熱は、磁性体金属材料の筒自体が発熱するので、空気の加熱が比較的迅速であり効果的に加熱できるなどの効果が得られる。なお、ヘアードライヤ本体から供給される空気には、温風、冷風のみならずスチームも含まれ、この熱源は各種のヘアードライヤに適用できる。
【図面の簡単な説明】
【００３９】
【図１】図１は本発明に係るヘアードライヤの一実施例の一部断面図である。
【図２】図２は図１のヘアードライヤの本体内に設けられる熱源の断面図である。
【図３】図３は熱源の断面図である。
【図４】図４は本発明の他の実施例に係る熱源の断面図である。
【図５】図５は図４の磁性金属材料の筒の斜視図である。
【図６】図６は本発明の他の実施例に係るヘアードライヤの一部断面図である。
【図７】図７は本発明の他の実施例に係るヘアードライヤの本体内に設けられる磁性金属材料の筒の透視図である。
【図８】図８は本発明の他の実施例に係るヘアードライヤの回路図である。
【図９】図９は従来のヘアードライヤの断面図である。
【符号の説明】
【００４０】
１      ヘアードライヤ
１１      ヘアードライヤ本体
１２      ハンドル
１３      ケース
１４      電源スイッチ
１５      後部カバー
１６      アタッチメント
１７      加熱室
１７ａ    外壁
１７ｂ    コイル
１７ｃ    絶縁内筒
１７ｄ    磁性金属材料からなる筒
１７ｅ    放熱板
１７ｆ    通孔
１７ｇ    ヨーク
１８      熱源
１９      ファンモータ
２０      送風室
２０ａ    ファン
２１      吹き出しグリル
２２      ファン保持筒
２３      絶縁筒
２４      放熱器
２４ａ    横網
２４ｂ    縦網
２４ｃ    放熱器の一端
【図１】
2007190319.tif 000003
【図２】
2007190319.tif 000004
【図３】
2007190319.tif 000005
【図４】
2007190319.tif 000006
【図５】
2007190319.tif 000007
【図６】
2007190319.tif 000008
【図７】
2007190319.tif 000009
【図８】
2007190319.tif 000010
【図９】
2007190319.tif 000011